【手続補正書】
【提出日】平成18年11月15日(2006.11.15)
【手続補正１】
【補正対象書類名】明細書
【補正対象項目名】発明の名称
【補正方法】変更
【補正の内容】
【発明の名称】印刷データ生成方法、印刷データ生成装置、コンピュータプログラム、及び記憶媒体
【手続補正２】
【補正対象書類名】明細書
【補正対象項目名】特許請求の範囲
【補正方法】変更
【補正の内容】
【特許請求の範囲】
【請求項１】  アプリケーションの作成した文書ページに基づき、印刷装置に送信されるビットマップデータを生成する印刷データ生成装置であって、
前記アプリケーションから発行され、ページ上に模様を付加するモードが設定された印刷イベントに応じて、少なくとも１つの模様ページを準備する準備手段と、
前記アプリケーションが作成した文書ページと前記準備手段により準備された前記少なくとも１つの模様ページとが格納されたスプールファイルから、前記模様ページと前記文書ページとを読み出して合成し、合成ページを作成する合成手段と、
前記合成手段により作成された合成ページから、前記印刷装置に送信されるビットマップデータを生成する生成手段とを有することを特徴とする印刷データ生成装置。
【請求項２】  前記準備手段は、模様の設定に応じてベージ上に模様を描画することにより、前記模様ページを準備することを特徴とする請求項１に記載の印刷データ生成装置。
【請求項３】  前記合成手段は、ページ上に背景として背面模様を付加する場合、前記模様ページの上に前記文書ページを合成し、ベージ上に前景として前面模様を付加する場合、前記文書ページの上に前記模様ページを合成することを特徴とする請求項１に記載の印刷データ生成装置。
【請求項４】  前記準備手段は、印刷状態の設定が変わる際に前記模様ページを準備することを特徴とする請求項１に記載の印刷データ生成装置。
【請求項５】  前記スプールファイルは、オペレーティングシステムで使用される論理的な格納方式で格納されていることを特徴とする請求項１に記載の印刷データ生成装置。
【請求項６】  前記模様は、前記文書ページに合成するスタンプの模様であることを特徴とする請求項１乃至５のいずれか１項に記載の印刷データ生成装置。
【請求項７】  アプリケーションの作成した文書ページに基づき、印刷装置に送信されるビットマップデータを生成する印刷データ生成方法であって、
準備手段が、前記アプリケーションから発行され、ページ上に模様を付加するモードが設定された印刷イベントに応じて、少なくとも１つの模様ページを準備する準備ステップと、
合成手段が、前記アプリケーションが作成した文書ページと前記準備ステップで準備された前記少なくとも１つの模様ページとが格納されたスプールファイルから、前記模様ページと前記文書ページとを読み出して合成し、合成ページを作成する合成ステップと、
生成手段が、前記合成ステップで作成された合成ページから、前記印刷装置に送信されるビットマップデータを生成する生成ステップとを有することを特徴とする印刷データ生成方法。
【請求項８】  前記準備ステップでは、模様の設定に応じてベージ上に模様を描画することにより、前記模様ページを準備することを特徴とする請求項７に記載の印刷データ生成方法。
【請求項９】  前記合成ステップでは、ページ上に背景として背面模様を付加する場合、前記模様ページの上に前記文書ページを合成し、ベージ上に前景として前面模様を付加する場合、前記文書ページの上に前記模様ページを合成することを特徴とする請求項７に記載の印刷データ生成方法。
【請求項１０】  前記準備ステップでは、印刷状態の設定が変わる際に前記模様ページを準備することを特徴とする請求項７に記載の印刷データ生成方法。
【請求項１１】  前記スプールファイルは、オペレーティングシステムで使用される論理的な格納方式で格納されていることを特徴とする請求項７に記載の印刷データ生成方法。
【請求項１２】  前記模様は、前記文書ページに合成するスタンプの模様であることを特徴とする請求項７乃至１１のいずれか１項に記載の印刷データ生成方法。
【請求項１３】  アプリケーションの作成した文書ページに基づき、印刷装置に送信されるビットマップデータを生成する印刷データ生成方法をコンピュータに実現させるためのコンピュータプログラムであって、
準備手段が、前記アプリケーションから発行され、ページ上に模様を付加するモードが設定された印刷イベントに応じて、少なくとも１つの模様ページを準備する準備ステップと、
合成手段が、前記アプリケーションが作成した文書ページと前記準備ステップで準備された前記少なくとも１つの模様ページとが格納されたスプールファイルから、前記模様ページと前記文書ページとを読み出して合成し、合成ページを作成する合成ステップと、
生成手段が、前記合成ステップで作成された合成ページから、前記印刷装置に送信されるビットマップデータを生成する生成ステップとをコンピュータに実行させるためのコンピュータプログラム。
【請求項１４】  前記準備ステップでは、模様の設定に応じてベージ上に模様を描画することにより、前記模様ページを準備することを特徴とする請求項１３に記載のコンピュータプログラム。
【請求項１５】  前記合成ステップでは、ページ上に背景として背面模様を付加する場合、前記模様ページの上に前記文書ページを合成し、ベージ上に前景として前面模様を付加する場合、前記文書ページの上に前記模様ページを合成することを特徴とする請求項１３に記載のコンピュータプログラム。
【請求項１６】  前記準備ステップでは、印刷状態の設定が変わる際に前記模様ページを準備することを特徴とする請求項１３に記載のコンピュータプログラム。
【請求項１７】  前記スプールファイルは、オペレーティングシステムで使用される論理的な格納方式で格納されていることを特徴とする請求項１３に記載のコンピュータプログラム。
【請求項１８】  前記模様は、前記文書ページに合成するスタンプの模様であることを特徴とする請求項１３乃至１７のいずれか１項に記載のコンピュータプログラム。
【請求項１９】  請求項１３乃至１８のいずれか１項に記載のコンピュータプログラムを記憶したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は印刷データ生成方法、印刷データ生成装置、コンピュータプログラム、及び記憶媒体、すなわち、情報伝達用の印刷データと機能表示用の印刷データとを含む印刷データを生成する印刷データ生成方法、印刷データ生成装置、特にアプリケーションが出力した文書等の印刷データと、ユーザに指定された模様を用紙上に重ね合わせて印刷する機能を持つ印刷データ生成方法、印刷データ生成装置、コンピュータプログラム、及び記憶媒体に関するものである。
【手続補正４】
【補正対象書類名】明細書
【補正対象項目名】０００７
【補正方法】変更
【補正の内容】
【０００７】
本発明は、前記従来の欠点を除去し、文書ページと模様（社外秘などのスタンプ）とを含む印刷データをプリントする場合に、必要とする記憶領域の容量を小さくし、ネットワークにかかる負荷を低減出来、サーバに必要なフォント等が存在しなくても印刷が可能となる印刷データ生成方法、印刷データ生成装置、コンピュータプログラム、及び記憶媒体を提供する。
【手続補正５】
【補正対象書類名】明細書
【補正対象項目名】０００８
【補正方法】変更
【補正の内容】
【０００８】
【課題を解決するための手段】
前記の目的を達成するために、本発明の印刷データ生成方法及びその装置は、システムによる印刷イベントの通知を利用し模様ページをアプリケーションに成り代わり描画し、アプリケーションの文書ページの間に挿入することで、システム標準のスプールファイルに保存され、デスプーリングにおいてプリントプロセッサにより重ね合わせを行い、プリンタグラフィクスドライバは重ね合わせ処理が行われた印刷データをビットマップイメージに変換しプリンタに供給する。
【手続補正６】
【補正対象書類名】明細書
【補正対象項目名】０００９
【補正方法】変更
【補正の内容】
【０００９】
すなわち、本発明の印刷データ生成方法は、アプリケーションの作成した文書ページに基づき、印刷装置に送信されるビットマップデータを生成する印刷データ生成方法であって、準備手段が、前記アプリケーションから発行され、ページ上に模様を付加するモードが設定された印刷イベントに応じて、少なくとも１つの模様ページを準備する準備ステップと、合成手段が、前記アプリケーションが作成した文書ページと前記準備ステップで準備された前記少なくとも１つの模様ページとが格納されたスプールファイルから、前記模様ページと前記文書ページとを読み出して合成し、合成ページを作成する合成ステップと、生成手段が、前記合成ステップで作成された合成ページから、前記印刷装置に送信されるビットマップデータを生成する生成ステップとを有することを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
又、本発明の印刷データ生成装置は、アプリケーションの作成した文書ページに基づき、印刷装置に送信されるビットマップデータを生成する印刷データ生成装置であって、前記アプリケーションから発行され、ページ上に模様を付加するモードが設定された印刷イベントに応じて、少なくとも１つの模様ページを準備する準備手段と、前記アプリケーションが作成した文書ページと前記準備手段により準備された前記少なくとも１つの模様ページとが格納されたスプールファイルから、前記模様ページと前記文書ページとを読み出して合成し、合成ページを作成する合成手段と、前記合成手段により作成された合成ページに対応して、前記印刷装置に送信されるビットマップデータを生成する生成手段とを有することを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
更に、本発明は、アプリケーションの作成した文書ページに基づき、印刷装置に送信されるビットマップデータを生成する印刷データ生成方法をコンピュータに実現させるためのコンピュータプログラムであって、準備手段が、前記アプリケーションから発行され、ページ上に模様を付加するモードが設定された印刷イベントに応じて、少なくとも１つの模様ページを準備する準備ステップと、合成手段が、前記アプリケーションが作成した文書ページと前記準備ステップで準備された前記少なくとも１つの模様ページとが格納されたスプールファイルから、前記模様ページと前記文書ページとを読み出して合成し、合成ページを作成する合成ステップと、生成手段が、前記合成ステップで作成された合成ページから、前記印刷装置に送信されるビットマップデータを生成する生成ステップとをコンピュータに実行させるためのコンピュータプログラム、及び該コンピュータプログラムを記憶したコンピュータ読み取り可能な記憶媒体を提供する。
【手続補正１４】
【補正対象書類名】明細書
【補正対象項目名】００７４
【補正方法】変更
【補正の内容】
【００７４】
【発明の効果】
本発明により、文書ページと模様（社外秘などのスタンプ）とを含む印刷データをプリントする場合に、必要とする記憶領域の容量を小さくし、ネットワークにかかる負荷を低減出来、サーバに必要なフォント等が存在しなくても印刷が可能となる印刷データ生成方法、印刷データ生成装置、コンピュータプログラム、及び記憶媒体を提供できる。